(57)【要約】手動遠隔制御装置およびディスプレイユニット内に存在する制御メニューを備える遠隔制御システム。手で遠隔制御装置を持ち上げると、ディスプレイユニット内の動きまたは位置または押しボタン式制御ユーザインタフェースを起動させる。この遠隔制御装置はその手による持ち上げの識別機能を備え、それは制御メニューおよび／または遠隔制御装置を起動させる。この遠隔制御装置の運動のおよび／または位置の取扱いは、ユーザインタフェース内に含まれるディスプレイユニットのメニューを制御することを可能にする。【選択図】図１
2009517907.tif 000002
【特許請求の範囲】
【請求項１】
手動遠隔制御装置とディスプレイユニット内に存在する制御メニューおよび動き、位置または押しボタン動作のユーザインタフェースと、を備える遠隔制御システムであって、前記ユーザインタフェース内に含まれる前記ディスプレイユニットの制御メニューが、前記遠隔制御装置の運動および／または位置取扱いによって制御され、手で前記遠隔制御装置を持ち上げることが、前記ディスプレイユニット内の前記ユーザインタフェースを起動させることを特徴とする遠隔制御システム。
【請求項２】
前記遠隔制御装置が、手によるその持ち上げのための識別機能を備え、それが前記遠隔制御装置および前記制御メニューを起動させる、ことを特徴とする請求項１に記載の制御システム。
【請求項３】
そのユーザインタフェース内のアナログ同調が、前記遠隔制御装置の回転動作によって実行される、ことを特徴とする請求項１または２に記載の制御システム。
【請求項４】
そのアナログチューナまたは押しボタンの起動が、前記遠隔制御装置の押出動作によって実行される、ことを特徴とする請求項１、２または３に記載の制御システム。
【請求項５】
前記遠隔制御装置の位置が、所望のメニューおよび／またはそれとともに関連した器具を直接起動させる、ことを特徴とする請求項１から４のいずれかに記載の制御システム。
【請求項６】
その選択ボタンが、ディスプレイユニットのスクリーン上にある、ことを特徴とする請求項１から５のいずれかに記載の制御システム。
【請求項７】
前記遠隔制御装置が、前記スクリーン上に存在するキーボードの媒介を通して情報の入力を可能にする、ことを特徴とする請求項１−６のいずれかに記載の制御システム。
【請求項８】
前記遠隔制御装置が、手によるその持ち上げを識別するための容量性検出器を備えている、ことを特徴とする請求項１から７のいずれかに記載の制御システム。
【発明の詳細な説明】
【技術分野】
【０００１】
手で持ち上げるとディスプレイユニットおよびメニューを自動的に起動させるように、動きまたは位置または押しボタン動作のユーザインタフェースで動作する遠隔制御装置を実現するためのシステム。
【背景技術】
【０００２】
今日の家庭は、一般的に娯楽機器を操作するための４−６個の遠隔制御装置を有する。これに加えて、高性能家庭はしばしば家庭照明および空調を操作するための特定の遠隔制御装置、同じく、マルチメディアＰＣを動作させるための遠隔制御装置、別々のキーボードおよびマウス、を有する。
【０００３】
現在利用できる解決案の問題は、多数の遠隔制御装置およびユーザインタフェースの多様性、同じくマルチメディアＰＣの遠隔制御の待ち時間である。その運動の能力が小さいボタンを押すのに不適切な人は言うまでもなく、暗闇または薄暗い光の中でこれらを使用することもまた、困難である。いくつかの機器を操作することを可能にする遠隔制御装置によって、この問題を解く試みがなされてきた。これらは、娯楽機器の分野で用いられるものと置換されることができるだけであるが、例えば、マルチメディアＰＣのキーボードを置換するものを使用することを試みることは、可能でない。動き制御マウスもまた利用できるが、その高い消費電力のため、使われてない時はいつも充電デバイス内に保持されていなければならない。動き制御マウスによって必要とされる他のものはＰＣベースの永続的にスイッチ投入状態のメニューであり、それは娯楽機器にあまり適していない。
【０００４】
例えば、ホームシアタの操作はいくつかの娯楽機器の同時使用を必要とし、それによって、ユーザは正しい機器を互いに連結するためのプログラムオプションをどのように使用するべきかについて知っていなければならない。これは、機器に精通し、およびいくつかの遠隔制御コマンドを与える必要があり、多くの初歩的なユーザの手に余ると判明するかもしれない。
【０００５】
制御コマンドストリングを送信し、それによって個々の器具を制御することを可能にする高機能なタッチスクリーン遠隔制御装置もまた、商業的に入手可能であるが、その使用は、従来の遠隔制御装置と比較できない主要装置に関する精通を必要とする。例えばホームシアタの起動プロセスにおいて、この遠隔制御装置は制御コマンドのストリング全体の持続期間の間、さまざまな娯楽機器に向けたままに保たれなければならない。
【発明の開示】
【０００６】
上記の問題を解決して、ただ１台の制御装置を使用して家庭の全ての器具を動作させ、同じく、またテキスト入力のためにそれを使用することも可能にする、高度に簡単なユーザインタフェースを備える新奇な制御システムを作り出すことが本発明の目的である。
【０００７】
この目的は、添付の特許請求の範囲内に記載される特性記述的特徴に基づいて達成される。
【０００８】
このシステムに関して新奇なことは、この遠隔制御装置が、従来の制御ボタンおよび実際のユーザインタフェースを備える必要が全くなく、その制御メニューが、ＴＶまたはＰＣスクリーンであることができるディスプレイユニット内に含まれていることである。消費電力を最小化するために、この遠隔制御装置は手で持ち上げられたことを検出して、制御手順の所要時間の間だけ、ディスプレイユニットのメニューおよびそれ自体のハイパワーエレクトロニクスを起動させる。したがって、この遠隔制御装置は充電デバイス内に常に保たれる必要がなく、および、メニューは娯楽機器に対して適切にセットアップされ、必要に応じて、要望どおりカスタマイズされることができる。メニューがディスプレイユニット上に移されたおかげで、制御される全ての器具が個々の別々のメインまたはサブメニューとして視認でき、それによって、限界のない数のこの種のメニューが、全て類似したユーザインタフェースによって、結合されることができる。制御装置の位置はまた、所望のメニューおよび所望の機器の直接の起動を可能にし、それによっていくつかの連続した遠隔制御コマンドの送信を回避する。この制御装置は、また、真っ暗闇の中で使われることができ、従来の制御ボタンを無効にする。それはまた、大きなディスプレイおよび修正可能な動き制御のおかげで視力障害をもった、運動的に制限された、同じくハンディキャップを負う人にきわめて役立つ。
【０００９】
このシステムのおかげで、全ての娯楽機器の制御が、ユーザにとって以前と比べて非常により簡単でより便利な方法で実施されることができる。これは、この遠隔制御装置がさまざまな器具に実際の赤外線コマンドを送信せず、しかし単にメニューを制御するだけであり、その起動の後、さまざまな器具のためのコマンドが、別々の制御装置によって、または、ＴＶ、ＰＣもしくはｄｉｇｉｂｏｘの統合型ソフトウェアおよび赤外線エミッタによって送信される、ので可能である。したがって、ユーザはコマンドストリング中に遠隔制御装置をじっと保持して、娯楽機器に向ける必要がない。
【発明を実施するための最良の形態】
【００１０】
図１。本発明のシステムの動作原理は、その最高の構成において、可動部またはキーが、同じくディスプレイユニット（５）上に全くなく、その中に必要なソフトウェア同じく赤外線エミッタおよび他の器具を制御するための他の信号手段が統合される、遠隔制御装置（１）に基づく。このディスプレイユニットはＴＶまたはＰＣのスクリーンを備えることができ、および、この制御装置はＴＶ、ＰＣ、ｄｉｇｉｂｏｘまたはこのサービスに割り当てられる別々の制御装置を備えることができる。この遠隔制御装置を手で持ち上げることは、従来の周知の方法によって、例えば容量性検出器を用いて識別される。手による持ち上げを識別すると即座に、この遠隔制御装置は、赤外線または無線周波数通信リンクのどちらかを介してメッセージを表示／制御ユニット（５）に直ちに無線で送信し、スクリーン上のユーザインタフェース（６）をオープンする。遠隔制御装置（１）は、最もわずかな動きさえ識別して、それをディスプレイユニット（５）に送信することが可能な、従来通り設計されたスリーウェイの加速度計および関連エレクトロニクスを備えている。動き制御に合わせて、スクリーン上で視認できるカーソルは、横（２）および垂直（３）の向きに、同じく、その軸の方向に時計回りおよび反時計回り（８、９）の回転によって、シフトする。深さ方向（４）の動きもまた識別されて、所望の制御シンボル（７）を起動させるために使われ、それはしたがって、接触距離でそこからチューナまたはボタンを用いるのと同じ方法で制御されることができる。遠隔制御装置（１）が静止するかまたはそれが置かれるとすぐに、メニューはディスプレイユニットから消える。
【００１１】
図２。本発明のシステムに基づき、かつ、軸方向の位置によって駆動される、メニュー制御を示し、それは、遠隔制御装置の各側面（１０、１１、１２、１３）にシンボルを与えることに基づき、そこへ対応するメニューが表示画面上にポップアップする。例えば、側面（１０）がＴＶシンボルを具備する場合、その側面を上に向けると、ディスプレイユニット上にＴＶメニューを持ってきて、関連した機器を起動させる。反対側（１２）がラジオシンボルを具備し、および、その側面が上に向けられる場合、ディスプレイユニットはラジオメニューを示し、所望の機器が起動される。したがって、遠隔制御装置を使用する人は所望のシンボルを単に上方向へ面するように向けることによって１つのメニューから別のものへ進むことが可能である。
【００１２】
図３。制御ボタンまたはアナログチューナのための本発明のシステムに基づく起動手順を示し、それに従って、遠隔制御装置を前方に押す（１４）ことによって所望のシンボルが起動される。アナログチューナの操作はまた、遠隔制御装置を最初に前方に押す（１４）ことによって、進行し、続いてそれを時計回りか反時計回りに回転し、それによって、チューナはその動きと一貫して回転する。一旦チューニングがなされると、遠隔制御装置はシンボルを解除するために後ろに引き戻される（１２）。必要に応じて、この遠隔制御装置はまた、カーソルによって向けられるシンボルを起動させるための制御ボタンを備えることができる。
【００１３】
図４。テキスト入力のための本発明のシステムに基づく制御装置応用例を示す。テキストの入力は、所望の英字またはファンクションキーでスクリーン上のカーソルを動かすことによって遂行される。カーソルが任意のボタンと一致してその色が変わり、その押圧が要求されると遠隔制御装置が前方に押されてその色が更に変化し、および、文字が書込フィールド上に現れるか、または所望の機能が実行される。
【図面の簡単な説明】
【００１４】
本発明は、次に添付の図面を参照して更に詳細に記述され、そこにおいて、
【図１】その動作原理の観点から本発明のシステムを示す、
【図２】本発明のシステムに基づく位置制御されたメニュードライブを示す、
【図３】制御ボタンまたはアナログチューナのための本発明のシステムに基づく起動手順を示す、および、
【図４】テキスト入力のための本発明のシステムに基づく制御装置応用例を示す。
【符号の説明】
【００１５】
１遠隔制御装置
２横
３垂直
４深さ方向
５ディスプレイユニット
７制御シンボル
８時計回り
９反時計回り
１０、１１、１２、１３側面
１４押す
【図１】
2009517907.tif 000003
【図２】
2009517907.tif 000004
【図３】
2009517907.tif 000005
【図４】
2009517907.tif 000006
【国際調査報告】
2009517907.tif 000007
2009517907.tif 000008
2009517907.tif 000009